(57)【要約】【課題】効率的に上りリンク送信を実行することができる【解決手段】端末装置は、ＰＵＳＣＨをスケジュールするために用いられる上りリンクグラントを受信し、上りリンクグラントに含まれるＨＡＲＱ−ＡＣＫリクエストがＨＡＲＱ−ＡＣＫ送信をトリガーするようにセットされている場合には、上りリンクグラントに対応するＰＵＳＣＨにおいてＨＡＲＱ−ＡＣＫを送信し、上りリンクグラントに含まれるＣＳＩリクエストがＣＳＩ報告をトリガーするようにセットされている場合には上りリンクグラントに対応するＰＵＳＣＨにおいてＲＩを送信し、ＲＩが送信されるＳＣ−ＦＤＭＡシンボルのインデックスはＨＡＲＱ−ＡＣＫリクエストの値に基づいて与えられる。【選択図】図４
2019134199.tif 000002
【特許請求の範囲】
【請求項１】
ＰＵＳＣＨをスケジュールするために用いられる上りリンクグラントを受信する受信部と、
前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを送信し、
前記上りリンクグラントに含まれるＣＳＩリクエストがＣＳＩ報告をトリガーするようにセットされている場合には、前記上りリンクグラントに対応する前記ＰＵＳＣＨにおいて、ＲＩを送信する送信部と、を備え、
前記ＲＩが送信されるＳＣ−ＦＤＭＡシンボルのインデックスは、前記ＨＡＲＱ−ＡＣＫリクエストの値に基づいて与えられる
端末装置。
【請求項２】
前記ＲＩの符号化ビットの数は、前記ＲＩが送信されるＳＣ−ＦＤＭＡシンボルのインデックスに基づいて与えられる
請求項１の端末装置。
【請求項３】
ＰＵＳＣＨをスケジュールするために用いられる上りリンクグラントを送信する送信部と、
前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを受信し、
前記上りリンクグラントに含まれるＣＳＩリクエストがＣＳＩ報告をトリガーするようにセットされている場合には、前記上りリンクグラントに対応する前記ＰＵＳＣＨにおいて、ＲＩを受信する受信部と、を備え、
前記ＲＩが送信されるＳＣ−ＦＤＭＡシンボルのインデックスは、前記ＨＡＲＱ−ＡＣＫリクエストの値に基づいて与えられる
基地局装置。
【請求項４】
前記ＲＩの符号化ビットの数は、前記ＲＩが送信されるＳＣ−ＦＤＭＡシンボルのインデックスに基づいて与えられる
請求項３の基地局装置。
【請求項５】
端末装置に用いられる通信方法であって、
ＰＵＳＣＨをスケジュールするために用いられる上りリンクグラントを受信し、
前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを送信し、
前記上りリンクグラントに含まれるＣＳＩリクエストがＣＳＩ報告をトリガーするようにセットされている場合には、前記上りリンクグラントに対応する前記ＰＵＳＣＨにおいて、ＲＩを送信し、
前記ＲＩが送信されるＳＣ−ＦＤＭＡシンボルのインデックスは、前記ＨＡＲＱ−ＡＣＫリクエストの値に基づいて与えられる
通信方法。
【請求項６】
前記ＲＩの符号化ビットの数は、前記ＲＩが送信されるＳＣ−ＦＤＭＡシンボルのインデックスに基づいて与えられる
請求項５の通信方法。
【請求項７】
基地局装置に用いられる通信方法であって、
ＰＵＳＣＨをスケジュールするために用いられる上りリンクグラントを送信し、
前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを受信し、
前記上りリンクグラントに含まれるＣＳＩリクエストがＣＳＩ報告をトリガーするようにセットされている場合には、前記上りリンクグラントに対応する前記ＰＵＳＣＨにおいて、ＲＩを受信し、
前記ＲＩが送信されるＳＣ−ＦＤＭＡシンボルのインデックスは、前記ＨＡＲＱ−ＡＣＫリクエストの値に基づいて与えられる
通信方法。
【請求項８】
前記ＲＩの符号化ビットの数は、前記ＲＩが送信されるＳＣ−ＦＤＭＡシンボルのインデックスに基づいて与えられる
請求項７の通信方法。
【請求項９】
端末装置に実装される集積回路であって、
ＰＵＳＣＨをスケジュールするために用いられる上りリンクグラントを受信する受信回路と、
前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを送信し、
前記上りリンクグラントに含まれるＣＳＩリクエストがＣＳＩ報告をトリガーするようにセットされている場合には、前記上りリンクグラントに対応する前記ＰＵＳＣＨにおいて、ＲＩを送信する送信回路と、を備え、
前記ＲＩが送信されるＳＣ−ＦＤＭＡシンボルのインデックスは、前記ＨＡＲＱ−ＡＣＫリクエストの値に基づいて与えられる
集積回路。
【請求項１０】
前記ＲＩの符号化ビットの数は、前記ＲＩが送信されるＳＣ−ＦＤＭＡシンボルのインデックスに基づいて与えられる
請求項９の集積回路。
【請求項１１】
基地局装置に実装される集積回路であって、
ＰＵＳＣＨをスケジュールするために用いられる上りリンクグラントを送信する送信回路と、
前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを受信し、
前記上りリンクグラントに含まれるＣＳＩリクエストがＣＳＩ報告をトリガーするようにセットされている場合には、前記上りリンクグラントに対応する前記ＰＵＳＣＨにおいて、ＲＩを受信する受信回路と、を備え、
前記ＲＩが送信されるＳＣ−ＦＤＭＡシンボルのインデックスは、前記ＨＡＲＱ−ＡＣＫリクエストの値に基づいて与えられる
集積回路。
【請求項１２】
前記ＲＩの符号化ビットの数は、前記ＲＩが送信されるＳＣ−ＦＤＭＡシンボルのインデックスに基づいて与えられる
請求項１１の集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE: 登録商標）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮ
ｏｄｅＢ（evolved NodeB）、端末装置をＵＥ（User Equipment）とも称する。ＬＴＥは
、基地局装置がカバーするエリアをセル状に複数配置するセルラー通信システムである。単一の基地局装置は複数のセルを管理してもよい。
【０００３】
ＬＴＥリリース１３において、端末装置が複数のサービングセル（コンポーネントキャリア）において同時に送信、および／または、受信を行う技術であるキャリアアグリゲーションが仕様化されている（非特許文献１、２、３）。ＬＴＥリリース１４において、ライセンス補助アクセス（LAA: Licensed Assisted Access）の機能拡張、および、アンラ
イセンスバンド（unlicensed band）における上りリンクキャリアを用いたキャリアアグ
リゲーションが検討されている（非特許文献４）。非特許文献５において、基地局装置によるトリガーに基づいて、アンライセンスバンド（unlicensed band）における上りリン
クキャリアに対するＨＡＲＱ−ＡＣＫフィードバックを、ＰＵＳＣＨで送信することが開示されている。
【先行技術文献】
【非特許文献】
【０００４】
【非特許文献１】"3GPP TS 36.211 V13.1.0 (2016-03)", 29th March, 2016.
【非特許文献２】"3GPP TS 36.212 V13.1.0 (2016-03)", 29th March, 2016.
【非特許文献３】"3GPP TS 36.213 V13.1.1 (2016-03)", 31th March, 2016.
【非特許文献４】"New Work Item on enhanced LAA for LTE", RP-152272, Ericsson, Huawei, 3GPP TSG RAN Meeting#70, Sitges, Spain, 7th - 10th December 2015.
【非特許文献５】"UCI transmission on LAA carrier", R1-164994, Sharp, 3GPP TSG RAN1 Meeting#85, Nanjing, China, 23rd - 27th May 2016.
【発明の概要】
【発明が解決しようとする課題】
【０００５】
本発明は、効率的に上りリンク送信を行うことができる端末装置、該端末装置に用いられる通信方法、該端末装置に実装される集積回路、効率的に上りリンク送信の受信を行うことができる基地局装置、該基地局装置に用いられる通信方法、および、該基地局装置に実装される集積回路を提供する。
【課題を解決するための手段】
【０００６】
（１）本発明の態様は、以下のような手段を講じた。すなわち、本発明の第１の態様は、端末装置であって、ＰＵＳＣＨをスケジュールするために用いられる上りリンクグラントを受信する受信部と、前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを送信し、前記上りリンクグラントに含まれるＣＳＩリクエストがＣＳＩ報告をトリガーするようにセットされている場合には、前記上りリンクグラントに対応する前記ＰＵＳＣＨにおいて、ＲＩ
を送信する送信部と、を備え、前記ＲＩが送信されるＳＣ−ＦＤＭＡシンボルのインデックスは、前記ＨＡＲＱ−ＡＣＫリクエストの値に基づいて与えられる。
【０００７】
（２）本発明の第２の態様は、基地局装置であって、ＰＵＳＣＨをスケジュールするために用いられる上りリンクグラントを送信する送信部と、前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを受信し、前記上りリンクグラントに含まれるＣＳＩリクエストがＣＳＩ報告をトリガーするようにセットされている場合には、前記上りリンクグラントに対応する前記ＰＵＳＣＨにおいて、ＲＩを受信する受信部と、を備え、前記ＲＩが送信されるＳＣ−ＦＤＭＡシンボルのインデックスは、前記ＨＡＲＱ−ＡＣＫリクエストの値に基づいて与えられる。
【０００８】
（３）本発明の第３の態様は、端末装置に用いられる通信方法であって、ＰＵＳＣＨをスケジュールするために用いられる上りリンクグラントを受信し、前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを送信し、前記上りリンクグラントに含まれるＣＳＩリクエストがＣＳＩ報告をトリガーするようにセットされている場合には、前記上りリンクグラントに対応する前記ＰＵＳＣＨにおいて、ＲＩを送信し、前記ＲＩが送信されるＳＣ−ＦＤＭＡシンボルのインデックスは、前記ＨＡＲＱ−ＡＣＫリクエストの値に基づいて与えられる。
【０００９】
（４）本発明の第４の態様は、基地局装置に用いられる通信方法であって、ＰＵＳＣＨをスケジュールするために用いられる上りリンクグラントを送信し、前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを受信し、前記上りリンクグラントに含まれるＣＳＩリクエストがＣＳＩ報告をトリガーするようにセットされている場合には、前記上りリンクグラントに対応する前記ＰＵＳＣＨにおいて、ＲＩを受信し、前記ＲＩが送信されるＳＣ−ＦＤＭＡシンボルのインデックスは、前記ＨＡＲＱ−ＡＣＫリクエストの値に基づいて与えられる。
【００１０】
（５）本発明の第５の態様は、端末装置に実装される集積回路であって、ＰＵＳＣＨをスケジュールするために用いられる上りリンクグラントを受信する受信回路と、前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを送信し、前記上りリンクグラントに含まれるＣＳＩリクエストがＣＳＩ報告をトリガーするようにセットされている場合には、前記上りリンクグラントに対応する前記ＰＵＳＣＨにおいて、ＲＩを送信する送信回路と、を備え、前記ＲＩが送信されるＳＣ−ＦＤＭＡシンボルのインデックスは、前記ＨＡＲＱ−ＡＣＫリクエストの値に基づいて与えられる。
【００１１】
（６）本発明の第６の態様は、基地局装置に実装される集積回路であって、ＰＵＳＣＨをスケジュールするために用いられる上りリンクグラントを送信する送信回路と、前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを受信し、前記上りリンクグラントに含まれるＣＳＩリクエストがＣＳＩ報告をトリガーするようにセットされている場合には、前記上りリンクグラントに対応する前記ＰＵＳＣＨにおいて、ＲＩを受信する受信回路と、を備え
、前記ＲＩが送信されるＳＣ−ＦＤＭＡシンボルのインデックスは、前記ＨＡＲＱ−ＡＣＫリクエストの値に基づいて与えられる。
【発明の効果】
【００１２】
この発明によれば、端末装置は効率的に上りリンク送信を行うことができる。また、基地局装置は効率的に上りリンク送信の受信を行うすることができる。
【図面の簡単な説明】
【００１３】
【図１】本実施形態の無線通信システムの概念図である。
【図２】本実施形態の無線フレームの概略構成を示す図である。
【図３】本実施形態における上りリンクスロットの概略構成を示す図である。
【図４】本実施形態の端末装置１の構成を示す概略ブロック図である。
【図５】本実施形態の基地局装置３の構成を示す概略ブロック図である。
【図６】本実施形態における上りリンクデータ（ａｘ）、ＣＱＩ／ＰＭＩ（ｏｘ）、ＲＩ（ａｘ）、および、ＨＡＲＱ−ＡＣＫ（ａｘ）の符号化処理の一例を示す図である。
【図７】本実施形態における符号化ビットの多重・インタリーブの第１の例を示す図である。
【図８】本実施形態における符号化ビットの多重・インタリーブの第２の例を示す図である。
【図９】本実施形態における符号化ビットの多重・インタリーブの第３の例を示す図である。
【発明を実施するための形態】
【００１４】
以下、本発明の実施形態について説明する。
【００１５】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１６】
以下、キャリアアグリゲーションについて説明する。
【００１７】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。複数のサービングセルは、少なくとも１つのプライマリセルを含む。複数のサービングセルは、１つ、または、複数のセカンダリセルを含んでもよい。複数のサービングセルは、１つ、または、複数のＬＡＡ（Licensed Assisted Access）セルを含んでもよい。ＬＡＡセルを、ＬＡＡセカンダリセルとも称する。
【００１８】
プライマリセルは、初期コネクション確立（initial connection establishment）手順が行なわれたサービングセル、コネクション再確立（connection re-establishment）手
順を開始したサービングセル、または、ハンドオーバ手順においてプライマリセルと指示されたセルである。ＲＲＣ（Radio Resource Control）コネクションが確立された時点、または、後に、セカンダリセル、および／または、ＬＡＡセルが設定されてもよい。プライマリセルは、ライセンスバンド（licensed band）に含まれてもよい。ＬＡＡセルは、
アンライセンスバンド（unlicensed band）に含まれてもよい。セカンダリセルは、ライ
センスバンド、および、アンライセンスバンドの何れに含まれてもよい。ＬＡＡセルを、ＬＡＡセカンダリセルと称してもよい。
【００１９】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２０】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００２１】
本実施形態の物理チャネルおよび物理信号について説明する。
【００２２】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＳＣＨ（Physical Uplink Shared Channel）
・ＰＲＡＣＨ（Physical Random Access Channel）
ＰＵＳＣＨは、上りリンクデータ（Transport block, Uplink-Shared Channel: UL-SCH）、下りリンクのＣＳＩ（Channel State Information）、および／または、ＨＡＲＱ−
ＡＣＫ（Hybrid Automatic Repeat reQuest）を送信するために用いられる。ＣＳＩ、お
よび、ＨＡＲＱ−ＡＣＫは、上りリンク制御情報（Uplink Control Information: UCI）
である。
【００２３】
ＣＳＩは、チャネル品質指標（Channel Quality Indicator: CQI）、ＲＩ（Rank Indicator）、および、ＰＭＩ（Precoding Matrix Indicator）を含む。ＣＱＩは、ＰＤＳＣＨで送信される単一のトランスポートブロックに対する、変調方式と符号化率の組合せを表現する。ＲＩは、端末装置１によって決定される有効なレイヤーの数を示す。ＰＭＩは、端末装置１によって決定されるコードブックを示す。該コードブックは、ＰＤＳＣＨのプリコーディングに関連する。
【００２４】
ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対応する。ＨＡＲＱ−ＡＣＫは、ＡＣＫ（acknowledgement）
またはＮＡＣＫ（negative-acknowledgement）を示す。ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００２５】
ＰＲＡＣＨは、ランダムアクセスプリアンブルを送信するために用いられる。
【００２６】
図１において、上りリンクの無線通信では、以下の上りリンク物理シグナルが用いられる。上りリンク物理シグナルは、上位層から出力された情報を送信するために使用されないが、物理層によって使用される。
・ＤＭＲＳ（Demodulation Reference Signal）
ＤＭＲＳは、ＰＵＳＣＨの送信に関連する。ＤＭＲＳは、ＰＵＳＣＨと時間多重される。基地局装置３は、ＰＵＳＣＨの伝搬路補正を行なうためにＤＭＲＳを使用してもよい。
【００２７】
図１において、基地局装置３から端末装置１への下りリンクの無線通信では、以下の下
りリンク物理チャネルが用いられる。下りリンク物理チャネルは、上位層から出力された情報を送信するために使用される。
・ＰＤＣＣＨ（Physical Downlink Control Channel）
ＰＤＣＣＨは、下りリンク制御情報（Downlink Control Information: DCI）を送信す
るために用いられる。下りリンク制御情報を、ＤＣＩフォーマットとも称する。下りリンク制御情報は、上りリンクグラント（uplink grant）を含む。上りリンクグラントは、単一のセル内の単一のＰＵＳＣＨのスケジューリングに用いられてもよい。上りリンクグラントは、単一のセル内の連続するサブフレームにおける複数のＰＵＳＣＨのスケジューリングに用いられてもよい。上りリンクグラントは、該上りリンクグラントが送信されたサブフレームより４つ以上後のサブフレーム内の単一のＰＵＳＣＨのスケジューリングに用いられてもよい。
【００２８】
ＵＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。
【００２９】
以下、本実施形態の無線フレーム（radio frame）の構成について説明する。
【００３０】
図２は、本実施形態の無線フレームの概略構成を示す図である。図２において、横軸は時間軸である。無線フレームのそれぞれは、１０ｍｓ長である。また、無線フレームのそれぞれは１０のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００３１】
以下、本実施形態のスロットの構成の一例について説明する。図３は、本実施形態における上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡシンボル番号／インデックスであり、ｋはサブキャリア番号／インデックスである。
【００３２】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００３３】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡ
シンボルの数を示す。上りリンクにおけるノーマルＣＰ（normal Cyclic Prefix）に対して、NULsymbは７である。上りリンクにおける拡張ＣＰ（extended ＣＰ）に対して、NULsymbは６である。
【００３４】
端末装置１は、上りリンクにおけるＣＰ長を示すパラメータUL-CyclicPrefixLengthを
基地局装置３から受信する。基地局装置３は、セルに対応する該パラメータUL-CyclicPrefixLengthを含むシステムインフォメーションを、該セルにおいて報知してもよい。
【００３５】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領
域における（物理）リソースブロックサイズである。サブキャリア間隔Δfは１５ｋＨｚ
であり、NRBscは１２であってもよい。すなわち、NRBscは、１８０ｋＨｚであってもよい。
【００３６】
リソースブロック（ＲＢ）は、物理チャネルのリソースエレメントへのマッピングを表すために用いられる。リソースブロックは、仮想リソースブロック（ＶＲＢ）と物理リソースブロック（ＰＲＢ）が定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシ
ンボルと周波数領域においてNRBscの連続するサブキャリアとから定義される。ゆえに、
１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号nPRB（0,1,…, NULRB-1）が付けられる。
【００３７】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される
点を除いて基本的に同じであるため、下りリンクのスロットの構成の説明は省略する。
【００３８】
以下、本実施形態における装置の構成について説明する。
【００３９】
図４は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベース
バンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【００４０】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【００４１】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ランダムアクセス手順の制御を行う。
【００４２】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【００４３】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００４４】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【００４５】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【００４６】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【００４７】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【００４８】
図５は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【００４９】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００５０】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、ランダムアクセス手順の制御を行う。
【００５１】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し
、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。
すなわち、無線リソース制御層処理部３６は、各種設定情報／パラメータを示す情報を送信／報知する。
【００５２】
無線送受信部３０の機能は、無線送受信部１０と同様であるため説明を省略する。
【００５３】
端末装置１が備える符号１０から符号１６が付された部のそれぞれは、回路として構成されてもよい。基地局装置３が備える符号３０から符号３６が付された部のそれぞれは、回路として構成されてもよい。
【００５４】
以下、ランダムアクセス手順について説明する。
【００５５】
本実施形態において、プライマリセル、セカンダリセル、または、ＬＡＡセルにおいてランダムアクセス手順が実行されてもよい。ただし、時間領域における何れのポイントにおいても１つのランダムアクセス手順のみが実行される。すなわち、複数のランダムアクセス手順は同時に実行されない。
【００５６】
本実施形態において、プライマリセルにおいてコンテンションベースランダムアクセス手順（contention based random access procedure）、および、非コンテンションベースランダムアクセス手順（non-contention based random access procedure）が実行されてもよい。セカンダリセル、および、ＬＡＡセルにおいて、非コンテンションベースランダムアクセス手順が実行されてもよい。
【００５７】
プライマリセル、セカンダリセル、または、ＬＡＡセルにおけるＰＲＡＣＨでランダムアクセスプリアンブルが送信されてもよい。端末装置１は、ランダムアクセス手順に関する情報（ＲＲＣメッセージ）を、基地局装置３から受信する。ランダムアクセス手順に関する情報は、ＰＲＡＣＨリソースのセットを示す情報を含む。
【００５８】
コンテンションベースランダムアクセス手順の場合、端末装置１自身によってランダムアクセスプリアンブルのインデックスがランダムに選択される。非コンテンションベースランダムアクセス手順の場合、基地局装置３から受信した情報に基づいて端末装置１によってランダムアクセスプリアンブルのインデックスが選択される。
【００５９】
プライマリセル、セカンダリセル、または、ＬＡＡセルに対するランダムアクセスレスポンスは、プライマリセルにおけるＰＤＳＣＨで送信される。あるセルに対するランダムアクセスレスポンスは、当該あるセルにおいて送信されたランダムアクセスプリアンブルに対応している。ランダムアクセスレスポンス（ＤＬ−ＳＣＨ、トランスポートブロック）を含むＰＤＳＣＨに対応するＰＤＣＣＨは、ＲＡ−ＲＮＴＩ（Random Access-Radio Network Identifier）を含む。当該ＰＤＣＣＨは下りリンク制御情報（下りリンクグラント）を含む。
【００６０】
ランダムアクセスレスポンスは、上りリンクグラントにマップされる上りリンクグラントフィールド、Ｔｅｍｐｏｒａｒｙ  Ｃ−ＲＮＴＩ（Cell Radio Network Temporary Identifier）を示すための情報にマップされるＴｅｍｐｏｒａｒｙ  Ｃ−ＲＮＴＩフィール
ド、および、ＴＡ（Timing Advance）コマンドを含む。ランダムアクセスレスポンスに含まれる上りリンクグラントを、ランダムアクセスレスポンスグラントとも称する。端末装置１は、ＴＡコマンドに基づいて、ＰＵＳＣＨ送信のタイミングを調整する。セルのグループ毎にＰＵＳＣＨ送信のタイミングが調整されてもよい。
【００６１】
受信したランダムアクセスレスポンスに、送信したランダムアクセスプリアンブルに対応するランダムアクセスプリアンブル識別子が含まれており、基地局装置３から受信した
情報に基づいて端末装置１によってランダムアクセスプリアンブルが選択された場合、端末装置１は非コンテンションベースランダムアクセス手順が成功裏に完了したとみなし、ランダムアクセスレスポンスグラントに基づいてＰＵＳＣＨでトランスポートブロックを送信する。
【００６２】
受信したランダムアクセスレスポンスに、送信したランダムアクセスプリアンブルに対応するランダムアクセスプリアンブル識別子が含まれており、端末装置１自身によってランダムアクセスプリアンブルがランダムに選択された場合、Ｔｅｍｐｏｒａｒｙ  Ｃ−ＲＮＴＩをＴｅｍｐｏｒａｒｙ  Ｃ−ＲＮＴＩフィールドの値にセットし、ランダムアクセスレスポンスに含まれている上りリンクグラントに基づいてＰＵＳＣＨでランダムアクセスメッセージ３（トランスポートブロック）を送信する。
【００６３】
ランダムアクセスレスポンスに含まれている上りリンクグラントに対応するＰＵＳＣＨは、対応するプリアンブルがＰＲＡＣＨで送信されたサービングセルにおいて送信される。
【００６４】
メッセージ３を送信した後に、端末装置１は、コンテンションリゾリューション（contention resolution）を受信する。コンテンションリゾリューションの受信に基づいて、
端末装置１はコンテンションベースランダムアクセス手順が成功裏に完了したとみなす。
【００６５】
本実施形態において、複数のＬＡＡセルのグループをＵＣＩセルグループと称する。ＵＣＩセルグループに含まれる複数のＬＡＡセルに対するＨＡＲＱ−ＡＣＫは、ＵＣＩセルグループ内の１つ、または、複数のＬＡＡセルにおけるＰＵＳＣＨで送信される。
【００６６】
プライマリセルは、常にＵＣＩセルグループに含まれない。基地局装置３は、ＬＡＡセルがＵＣＩセルグループに含まれるかどうかを決定してもよい。基地局装置３は、ＬＡＡセルがＵＣＩグループに含まれるかどうかを示す情報／上位層パラメータを、端末装置１に送信してもよい。
【００６７】
ＵＣＩセルグループに含まれるＬＡＡセルに対する上りリンクグラントには、ＣＳＩリクエスト、および、ＨＡＲＱ−ＡＣＫリクエストが含まれてもよい。ＣＳＩリクエストのビットにマップされるフィールドを、ＣＳＩリクエストフィールドとも称する。ＨＡＲＱ−ＡＣＫリクエストのビットにマップされるフィールドを、ＨＡＲＱ−ＡＣＫリクエストフィールドとも称する。
【００６８】
ＵＣＩセルグループに含まれるＬＡＡセルに対する上りリンクグラントに含まれるＨＡＲＱ−ＡＣＫリクエストフィールドがＨＡＲＱ−ＡＣＫ送信をトリガーするようにセットされている場合、端末装置１は、当該ＬＡＡセルにおけるＰＵＳＣＨを用いてＨＡＲＱ−ＡＣＫを送信する。例えば、１ビットのＨＡＲＱ−ＡＣＫリクエストフィールドが‘０’にセットされている場合、ＨＡＲＱ−ＡＣＫの送信がトリガーされなくてもよい。例えば、１ビットのＨＡＲＱ−ＡＣＫリクエストフィールドが‘１’にセットされている場合、ＨＡＲＱ−ＡＣＫの送信がトリガーされてもよい。
【００６９】
ＵＣＩセルグループに含まれるＬＡＡセルに対する上りリンクグラントに含まれるＣＳＩリクエストフィールドがＣＳＩ報告をトリガーするようにセットされている場合、端末装置１は、当該ＬＡＡセルにおけるＰＵＳＣＨを用いＣＳＩ報告を行う。例えば、２ビットのＣＳＩリクエストフィールドが‘００’にセットされている場合、ＣＳＩ報告がトリガーされなくてもよい。例えば、２ビットのＣＳＩリクエストフィールドが‘００’以外の値にセットされている場合、ＣＳＩ報告がトリガーされてもよい。
【００７０】
ＵＣＩセルグループに含まれないサービングセルに対する上りリンクグラントには、ＣＳＩリクエストが含まれてもよい。ＵＣＩセルグループに含まれないサービングセルに対する上りリンクグラントに含まれるＣＳＩリクエストフィールドがＣＳＩ報告をトリガーするようにセットされている場合、端末装置１は、当該ＵＣＩセルグループに含まれないサービングセルにおけるＰＵＳＣＨを用いＣＳＩ報告を行う。
【００７１】
ＵＣＩセルグループに含まれないサービングセルに対する上りリンクグラントには、ＨＡＲＱ−ＡＣＫリクエストが含まれない。ＵＣＩセルグループに含まれないサービングセルに対するＨＡＲＱ−ＡＣＫの送信は、ＵＣＩセルグループに含まれないサービングセルにおけるＰＤＳＣＨ送信の検出に基づいてトリガーされてもよい。端末装置１は、プライマリセルにおけるＰＵＳＣＨを用いて、プライマリセルにおけるＰＤＳＣＨ送信に対応するＨＡＲＱ−ＡＣＫを送信してもよい。
【００７２】
すなわち、ＬＡＡセルに対する上りリンクグラントにＨＡＲＱ−ＡＣＫリクエストが含まれるかどうかは、当該ＬＡＡセルがＵＣＩグループに含まれるかどうかを示す情報／上位層パラメータに基づいて与えられてもよい。
【００７３】
ランダムアクセスレスポンスグラントには、ＣＳＩリクエストが含まれてもよい。コンテンションベースランダムアクセス手順に関連するランダムアクセスレスポンスグラントに含まれるＣＳＩリクエストはリザーブされる。ランダムアクセスレスポンスグラントに含まれるＣＳＩリクエストフィールドがリザーブされておらず、尚且つ、ＣＳＩ報告をトリガーするようにセットされている場合、端末装置１は、ランダムアクセスプリアンブルを送信したサービングセルにおけるＰＵＳＣＨを用いＣＳＩ報告を行う。
【００７４】
ＵＣＩセルグループに含まれるＬＡＡセルにおける非コンテンションベースランダムアクセス手順は、ＬＡＡセルの上りリンク同期のために実行されてもよい。上りリンク同期が得られていない場合、ＵＣＩセルグループに含まれるＬＡＡセルにおけるＰＵＳＣＨを用いて、ＵＣＩセルグループに含まれるＬＡＡセルにおけるＰＤＳＣＨ送信に対するＨＡＲＱ−ＡＣＫを送信することはできない。すなわち、ＵＣＩセルグループに含まれるＬＡＡセルにおける非コンテンションベースランダムアクセス手順を行っている間は、ＵＣＩセルグループに含まれるＬＡＡセルにおけるＰＤＳＣＨの送信を行わなくてもよい。そこで、ランダムアクセスレスポンス、および、ランダムアクセスレスポンスグラントのビットを節約するために、ＵＣＩセルグループに含まれるＬＡＡセルに対するランダムアクセスレスポンスグラントにＨＡＲＱ−ＡＣＫリクエストを含めなくてもよい。
【００７５】
ＰＤＣＣＨに含まれる上りリンクグラントは、ランダムアクセスレスポンスグラントによってスケジュールされたＰＵＳＣＨを用いて送信されたトランスポートブロックの再送信を指示してもよい。ここで、当該上りリンクグラントには、ＣＳＩリクエスト、および、ＨＡＲＱ−ＡＣＫリクエストを含んでもよい。
【００７６】
以下、ＰＵＳＣＨを用いて送信される、上りリンクデータ、ＣＱＩ／ＰＭＩ、ＲＩ、および、ＨＡＲＱ−ＡＣＫの符号化処理について説明する。
【００７７】
図６は、本実施形態における上りリンクデータ（ａｘ）、ＣＱＩ／ＰＭＩ（ｏｘ）、ＲＩ（ａｘ）、および、ＨＡＲＱ−ＡＣＫ（ａｘ）の符号化処理の一例を示す図である。図６の６００から６０３において、ＰＵＳＣＨを用いて送信される、上りリンクデータ、ＣＱＩ／ＰＭＩ、ＲＩ、および、ＨＡＲＱ−ＡＣＫは個別に符号化される。図６の６０４において、上りリンクデータの符号化ビット（ｆｘ）、ＣＱＩ／ＰＭＩの符号化ビット（ｑｘ）、ＲＩの符号化ビット（ｇｘ）、および、ＨＡＲＱ−ＡＣＫの符号化ビット（ｈｘ）は、多重、および、インタリーブされる。図６の６０５において、６０４において多重、
および、インタリーブされた符号化ビットから、ベースバンド信号（ＰＵＳＣＨの信号）を生成する。
【００７８】
符号化ビットの多重・インタリーブには、行列（matrix）が用いられてもよい。行列の列はＳＣ−ＦＤＭＡシンボルに対応している。行列の１つのエレメントは、１つの符号化変調シンボルに対応している。符号化変調シンボルはＸ個の符号化ビットのグループである。Ｘは、ＰＵＳＣＨ（上りリンクデータ）に対する変調次数（modulation order Qm）
である。１つの符号化変調シンボルから、１つの複素数値シンボルが生成される。１つの列にマップされる複数の符号化変調シンボルから生成される複数の複素数値シンボルは、ＤＦＴプリコーディングの後に、ＰＵＳＣＨのために割り当てられてサブキャリアにマップされる。
【００７９】
図７は、本実施形態における符号化ビットの多重・インタリーブの第１の例を示す図である。ＰＵＳＣＨを用いて、ＨＡＲＱ−ＡＣＫ、および、ＲＩが送信される場合、ＨＡＲＱ−ＡＣＫの符号化変調シンボルはインデックス｛２、３、８、９｝の列にマップされ、尚且つ、ＲＩの符号化変調シンボルはインデックス｛１、４、７、１０｝の列にマップされる。
【００８０】
インデックス｛２、３、８、９｝の列は、ＰＵＳＣＨ送信に関連するＤＭＲＳが送信されるＳＣ−ＦＤＭＡシンボルの隣のＳＣ−ＦＤＭＡシンボルに対応する。インデックス２の列に対応するＳＣ−ＦＤＭＡシンボル、および、インデックス３の列に対応するＳＣ−ＦＤＭＡシンボルの間のＳＣ−ＦＤＭＡシンボルにおいてＤＭＲＳが送信される。インデックス８の列に対応するＳＣ−ＦＤＭＡシンボル、および、インデックス９の列に対応するＳＣ−ＦＤＭＡシンボルの間のＳＣ−ＦＤＭＡシンボルにおいてＤＭＲＳが送信される。インデックス｛１、４、７、１０｝の列は、ＰＵＳＣＨ送信に関連するＤＭＲＳが送信されるＳＣ−ＦＤＭＡシンボルの２つ隣のＳＣ−ＦＤＭＡシンボルに対応する。
【００８１】
これにより、ＨＡＲＱ−ＡＣＫは、ＤＭＲＳが送信されるＳＣ−ＦＤＭＡシンボルの隣のＳＣ−ＦＤＭＡシンボルにおいて送信されるため、基地局装置３における復調の精度が高くなる。
【００８２】
ＰＵＳＣＨを用いてＨＡＲＱ−ＡＣＫが送信されず、尚且つ、当該ＰＵＳＣＨを用いてＲＩが送信される場合、ＲＩの符号化変調シンボルは、インデックス｛２、３、８、９｝の列、または、インデックス｛１、４、７、１０｝の列にマップされる。図８は、本実施形態における符号化ビットの多重・インタリーブの第２の例を示す図である。第２の例において、ＲＩの符号化変調シンボルは、インデックス｛２、３、８、９｝の列にマップされる。図９は、本実施形態における符号化ビットの多重・インタリーブの第３の例を示す図である。第２の例において、ＲＩの符号化変調シンボルは、インデックス｛１、４、７、１０｝の列にマップされる。
【００８３】
ＲＩの符号化変調シンボルがマップされる列のインデックスは、以下の要素（１）から（４）の一部、または、全部に少なくとも基づいて与えられてもよい。
■要素（１）：ＰＵＳＣＨが送信されるサービングセルがＵＣＩセルグループに属するかどうか
■要素（２）：ＰＵＳＣＨを用いてＨＡＲＱ−ＡＣＫ送信が行われるかどうか
■要素（３）：ＨＡＲＱ−ＡＣＫリクエストフィールドの値
■要素（４）：ＰＵＳＣＨのためのＳＣ−ＦＤＭＡシンボルの数
ＵＣＩセルグループに含まれるＬＡＡセルにおけるＰＵＳＣＨを用いたＨＡＲＱ−ＡＣＫの送信は、ＨＡＲＱ−ＡＣＫリクエストフィールドに基づいてトリガーされてもよい。すなわち、ＵＣＩセルグループに含まれないサービングセルにおけるＰＵＳＣＨを用いた
ＨＡＲＱ−ＡＣＫの送信が行われるかどうかは、ＨＡＲＱ−ＡＣＫリクエストフィールドに基づいて与えられてもよい。
【００８４】
例えば、ＰＵＳＣＨが送信されるサービングセルがＵＣＩセルグループに属しており、尚且つ、ＰＵＳＣＨを用いてＨＡＲＱ−ＡＣＫ送信が行われる場合、ＲＩの符号化変調シンボルはインデックス｛１、４、７、１０｝の列にマップされてもよい。例えば、ＰＵＳＣＨが送信されるサービングセルがＵＣＩセルグループに属しており、尚且つ、ＰＵＳＣＨを用いてＨＡＲＱ−ＡＣＫ送信が行われない場合、ＲＩの符号化変調シンボルはインデックス｛２、３、８、９｝の列にマップされてもよい。
【００８５】
これにより、ＰＵＳＣＨを用いてＨＡＲＱ−ＡＣＫ送信が行われない場合、ＰＵＳＣＨ送信に関連するＤＭＲＳが送信されるＳＣ−ＦＤＭＡシンボルの隣のＳＣ−ＦＤＭＡシンボルにおいてＲＩが送信されるため、ＲＩの復調の精度を向上させることができる。
【００８６】
ＵＣＩセルグループに含まれないサービングセルにおけるＰＵＳＣＨを用いたＨＡＲＱ−ＡＣＫの送信は、ＵＣＩセルグループに含まれないサービングセルにおけるＰＤＳＣＨ送信の検出に基づいてトリガーされてもよい。すなわち、ＵＣＩセルグループに含まれないサービングセルにおけるＰＵＳＣＨを用いたＨＡＲＱ−ＡＣＫの送信が行われるかどうかは、ＵＣＩセルグループに含まれないサービングセルにおけるＰＤＳＣＨ送信を検出したかどうかに基づいて与えられてもよい。
【００８７】
基地局装置３は、端末装置１が正しくＰＤＳＣＨ送信を検出できたかどうかを知らないので、ＰＵＳＣＨを用いてＨＡＲＱ−ＡＣＫ送信が行われるかどうを正確に把握できない。そこで、ＰＵＳＣＨが送信されるサービングセルがＵＣＩセルグループに属していない場合、ＰＵＳＣＨを用いてＨＡＲＱ−ＡＣＫ送信が行われるかどうかに関わらず、ＲＩの符号化変調シンボルはインデックス｛１、４、７、１０｝の列にマップされてもよい。これにより、基地局装置３は、ＲＩが送信されるＳＣ−ＦＤＭＡシンボルを正確に把握することができる。
【００８８】
以下、ＲＩの符号化ビットの数（Ｇ）、および、ＨＡＲＱ−ＡＣＫの符号化ビットの数（Ｈ）の算出方法について説明する。ＲＩの符号化ビットの数（Ｇ）、および、ＨＡＲＱ−ＡＣＫの符号化ビットの数（Ｈ）は、以下の数式（１）、および、数式（２）によって与えられてもよい。
【００８９】
【数１】
2019134199.tif 000003
【００９０】
【数２】
2019134199.tif 000004
【００９１】
βRIoffsetは、以下の要素（１）から（５）の一部、または、全部に少なくとも基づいて与えられてもよい。
■要素（１）：ＰＵＳＣＨが送信されるサービングセルがＵＣＩセルグループに属するかどうか
■要素（２）：ＰＵＳＣＨを用いてＨＡＲＱ−ＡＣＫ送信が行われるかどうか
■要素（３）：ＨＡＲＱ−ＡＣＫリクエストフィールドの値
■要素（４）：ＰＵＳＣＨのためのＳＣ−ＦＤＭＡシンボルの数
■要素（５）：ＲＩの符号化変調シンボルがマップされる列（ＲＩが送信されるＳＣ−ＦＤＭＡシンボル）
βRIoffsetは、基地局装置３から受信した情報／パラメータによって与えられてもよい。端末装置は、上記の要素（１）から（５）の一部、または、全部に少なくとも基づいて、基地局装置３から受信した情報／パラメータによって与えられる複数のβRIoffsetの中から１つを選択してもよい。
【００９２】
βHARQ-ACKoffsetは、基地局装置３から受信した情報／パラメータによって与えられてもよい。βHARQ-ACKoffsetは、上記の要素（１）とは関係なく与えられてもよい。
【００９３】
以下、本実施形態における、端末装置１および基地局装置３の種々の態様について説明する。
【００９４】
（１）本実施形態の第１の態様は、端末装置１であって、ＰＵＳＣＨをスケジュールするために用いられる上りリンクグラントを受信する受信部１０と、前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを送信する送信部１０と、を備え、前記上りリンクグラントがランダムアクセスレスポンスに含まれる場合、前記上りリンクグラントは前記ＨＡＲＱ−ＡＣＫリクエストを含まない。
【００９５】
（２）本実施形態の第１の態様において、前記ランダムアクセスレスポンスに含まれる前記上りリンクグラントによって初期送信がスケジュールされたＰＵＳＣＨにおいて送信されたトランスポートブロックの再送信を指示する上りリンクグラントは、前記ＨＡＲＱ−ＡＣＫリクエストを含む。前記ランダムアクセスレスポンスに含まれる前記上りリンクグラントによって初期送信がスケジュールされたＰＵＳＣＨにおいて送信されたトランスポートブロックの再送信を指示する上りリンクグラントは、ＰＤＣＣＨで送信されてもよい。
【００９６】
（３）本実施形態の第１の態様において、前記送信部１０は、前記上りリンクグラントに含まれるＣＳＩリクエストがＣＳＩ報告をトリガーするようにセットされている場合には、前記上りリンクグラントに対応する前記ＰＵＳＣＨにおいて、前記ＣＳＩ報告を送信し、前記上りリンクグラントが前記ランダムアクセスレスポンスに含まれるかどうかに関わらず、前記上りリンクグラントは前記ＣＳＩリクエストを含む。
【００９７】
（４）本実施形態の第１の態様において、前記ランダムアクセスレスポンスに含まれない上りリンクグラントに、前記ＨＡＲＱ−ＡＣＫリクエストが含まれるかどうかは、上位層のパラメータによって決定される。前記上位層のパラメータは、基地局装置３によって送信されてもよい。前記ランダムアクセスレスポンスに含まれない上りリンクグラントは、ＰＤＣＣＨを用いて送信される。
【００９８】
（５）本実施形態の第２の態様は、基地局装置３であって、ＰＵＳＣＨをスケジュールするために用いられる上りリンクグラントを送信する送信部１０と、前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを受信する受信部１０と、を備え、前記上りリンクグラントがランダムアクセスレスポンスに含まれる場合、前記上りリンクグラントは前記ＨＡＲＱ−ＡＣＫリクエストを含まない。
【００９９】
（６）本実施形態の第２の態様において、前記ランダムアクセスレスポンスに含まれる前記上りリンクグラントによって初期送信がスケジュールされたＰＵＳＣＨにおいて送信されたトランスポートブロックの再送信を指示する上りリンクグラントは、前記ＨＡＲＱ−ＡＣＫリクエストを含む。前記ランダムアクセスレスポンスに含まれる前記上りリンクグラントによって初期送信がスケジュールされたＰＵＳＣＨにおいて送信されたトランスポートブロックの再送信を指示する上りリンクグラントは、ＰＤＣＣＨで送信されてもよい。
【０１００】
（７）本実施形態の第２の態様において、前記受信部１０は、前記上りリンクグラントに含まれるＣＳＩリクエストがＣＳＩ報告をトリガーするようにセットされている場合には、前記上りリンクグラントに対応する前記ＰＵＳＣＨにおいて、前記ＣＳＩ報告を受信し、前記上りリンクグラントが前記ランダムアクセスレスポンスに含まれるかどうかに関わらず、前記上りリンクグラントは前記ＣＳＩリクエストを含む。
【０１０１】
（８）本実施形態の第２の態様において、前記ランダムアクセスレスポンスに含まれない上りリンクグラントに、前記ＨＡＲＱ−ＡＣＫリクエストが含まれるかどうかは、上位層のパラメータによって決定される。前記上位層のパラメータは、基地局装置３によって送信されてもよい。前記ランダムアクセスレスポンスに含まれない上りリンクグラントは、ＰＤＣＣＨを用いて送信される。
【０１０２】
（９）本実施形態の第１および第２の態様において、上りリンクグラントは、ＬＡＡセルに対応している。
【０１０３】
（１０）本実施形態の第３の態様は、端末装置１であって、ＰＵＳＣＨをスケジュールするために用いられる上りリンクグラントを受信する受信部１０と、前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを送信し、尚且つ、前記上りリンクグラントに含まれるＣＳＩリクエストがＣＳＩ報告をトリガーするようにセットされている場合には、前記上りリンクグラントに対応する前記ＰＵＳＣＨにおいて、ＲＩを送信する送信部１０と、を備え、前記ＲＩが送信されるＳＣ−ＦＤＭＡシンボルのインデックスは、前記ＨＡＲＱ−ＡＣＫリクエストの値に基づいて与えられる。
【０１０４】
（５）本実施形態の第４の態様は、基地局装置３であって、ＰＵＳＣＨをスケジュールするために用いられる上りリンクグラントを送信する送信部３０と、前記上りリンクグラントに含まれるＨＡＲＱ−ＡＣＫリクエストがＨＡＲＱ−ＡＣＫ送信をトリガーするようにセットされている場合には、前記上りリンクグラントに対応する前記ＰＵＳＣＨにおいて、前記ＨＡＲＱ−ＡＣＫを受信し、尚且つ、前記上りリンクグラントに含まれるＣＳＩリクエストがＣＳＩ報告をトリガーするようにセットされている場合には、前記上りリンクグラントに対応する前記ＰＵＳＣＨにおいて、ＲＩを受信する受信部３０と、を備え、前記ＲＩが送信されるＳＣ−ＦＤＭＡシンボルのインデックスは、前記ＨＡＲＱ−ＡＣＫリクエストの値に基づいて与えられる。
【０１０５】
（５）本実施形態の第３および第４の態様において前記ＲＩの符号化ビットの数は、前記ＲＩが送信されるＳＣ−ＦＤＭＡシンボルのインデックスに基づいて与えられる。
【０１０６】
これにより、端末装置１は効率的に上りリンク送信を実行することができる。また、基地局装置３は効率的に上りリンク送信の受信を実行することができる。
【０１０７】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１０８】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１０９】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１１０】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含ん
でも良い。また上記プログラムは、前述した機能の一部を実現するためのものであっても良く、さらに前述した機能をコンピュータシステムにすでに記録されているプログラムとの組み合わせで実現できるものであっても良い。
【０１１１】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１１２】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１１３】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１１４】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１１５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１１６】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2019134199.tif 000005
【図２】
2019134199.tif 000006
【図３】
2019134199.tif 000007
【図４】
2019134199.tif 000008
【図５】
2019134199.tif 000009
【図６】
2019134199.tif 000010
【図７】
2019134199.tif 000011
【図８】
2019134199.tif 000012
【図９】
2019134199.tif 000013